(57)【特許請求の範囲】
【請求項１】
駆動モータと、該駆動モータにより軸回転する回転軸と、該回転軸の軸回転を直交方向の往復運動に変換するロッドと、該ロッドに接続されたポンプ本体とを備えるポンプが取り付けられるポンプ取付台であって、
駆動モータが取り付けられ、第１の板金により形成される第１の支持体と、前記第１の支持体に接合され、第２の板金により形成される第２の支持体とからなり、
前記第１の支持体は、前記ポンプ本体が載置される第１天板部と、前記第１天板部を下方から支持する第１支持板部とを備え、
前記第２の支持体は、前記ポンプ本体が載置される第２天板部と、前記第２天板部を下方から支持する第２支持板部とを備え、
前記第１支持板部に前記回転軸が挿通される回転軸用開口部が形成されるとともに、前記第２天板部に前記ロッドが挿通されるロッド用開口部が形成され、
前記第２天板部の下方の空間に、前記回転軸用開口部から突出した前記回転軸と、前記ロッド用開口部から突出した前記ロッドとが配置され、
前記第１の支持体は、前記第１支持板部の下端部に第１底板部が設けられるとともに、前記第２の支持体は、前記第２支持板部の下端部に第２底板部が設けられ、
前記第１の支持体は、前記第１天板部、前記第１支持板部および前記第１底板部によりコ字状に形成されるとともに、
前記第２の支持体は、前記第２天板部、前記第２支持板部および前記第２底板部によりコ字状に形成され、
第１の支持体と第２の支持体は、第１支持板部と第２支持板部が離間しながら互いに同方向に向いた状態で接合されていることを特徴とするポンプ取付台。
【請求項２】
駆動モータと、該駆動モータにより軸回転する回転軸と、該回転軸の軸回転を直交方向の往復運動に変換するロッドと、該ロッドに接続されたポンプ本体とを備えるポンプが取り付けられるポンプ取付台であって、
駆動モータが取り付けられ、第１の板金により形成される第１の支持体と、前記第１の支持体に接合され、第２の板金により形成される第２の支持体とからなり、
前記第１の支持体は、前記ポンプ本体が載置される第１天板部と、前記第１天板部を下方から支持する第１支持板部とを備え、
前記第２の支持体は、前記ポンプ本体が載置される第２天板部と、前記第２天板部を下方から支持する第２支持板部とを備え、
前記第１支持板部に前記回転軸が挿通される回転軸用開口部が形成されるとともに、前記第２天板部に前記ロッドが挿通されるロッド用開口部が形成され、
前記第２天板部の下方の空間に、前記回転軸用開口部から突出した前記回転軸と、前記ロッド用開口部から突出した前記ロッドとが配置され、
前記第１の支持体は、前記第１支持板部の下端部に第１底板部が設けられるとともに、前記第２の支持体は、前記第２支持板部の下端部に第２底板部が設けられ、
前記第１の支持体は、前記第１天板部、前記第１支持板部および前記第１底板部によりコ字状に形成されるとともに、
前記第２の支持体は、前記第２天板部、前記第２支持板部および前記第２底板部によりコ字状に形成され、
第１の支持体と第２の支持体は、第１支持板部と第２支持板部が互いに接しながら互いに逆方向に向いた状態で接合され、第２支持体板部に前記回転軸が挿通される第２回転軸用開口部が形成されていることを特徴とするポンプ取付台。
【請求項３】
駆動モータと、該駆動モータにより軸回転する回転軸と、該回転軸の軸回転を直交方向の往復運動に変換するロッドと、該ロッドに接続されたポンプ本体とを備えるポンプが取り付けられるポンプ取付台であって、
駆動モータが取り付けられ、第１の板金により形成される第１の支持体と、前記第１の支持体に接合され、第２の板金により形成される第２の支持体とからなり、
前記第１の支持体は、前記ポンプ本体が載置される第１天板部と、前記第１天板部を下方から支持する第１支持板部とを備え、
前記第２の支持体は、前記ポンプ本体が載置される第２天板部と、前記第２天板部を下方から支持する第２支持板部とを備え、
前記第１支持板部に前記回転軸が挿通される回転軸用開口部が形成されるとともに、前記第２天板部に前記ロッドが挿通されるロッド用開口部が形成され、
前記第２天板部の下方の空間に、前記回転軸用開口部から突出した前記回転軸と、前記ロッド用開口部から突出した前記ロッドとが配置され、
前記第１天板部は、下方に延びる上側固定板部が設けられ、該上側固定板部に前記駆動モータの周面が接していることを特徴とするポンプ取付台。
【請求項４】
駆動モータと、該駆動モータにより軸回転する回転軸と、該回転軸の軸回転を直交方向の往復運動に変換するロッドと、該ロッドに接続されたポンプ本体とを備えるポンプが取り付けられるポンプ取付台であって、
駆動モータが取り付けられ、第１の板金により形成される第１の支持体と、前記第１の支持体に接合され、第２の板金により形成される第２の支持体とからなり、
前記第１の支持体は、前記ポンプ本体が載置される第１天板部と、前記第１天板部を下方から支持する第１支持板部とを備え、
前記第２の支持体は、前記ポンプ本体が載置される第２天板部と、前記第２天板部を下方から支持する第２支持板部とを備え、
前記第１支持板部に前記回転軸が挿通される回転軸用開口部が形成されるとともに、前記第２天板部に前記ロッドが挿通されるロッド用開口部が形成され、
前記第２天板部の下方の空間に、前記回転軸用開口部から突出した前記回転軸と、前記ロッド用開口部から突出した前記ロッドとが配置され、
前記第１の支持体は、前記第１支持板部の下端部に第１底板部が設けられるとともに、前記第２の支持体は、前記第２支持板部の下端部に第２底板部が設けられ、
前記第１底板部は、上方に延びる下側固定板部が設けられ、該下側固定板部に前記駆動モータの周面が接していることを特徴とするポンプ取付台。
【請求項５】
前記第２天板部は、前記第１支持板部側の端部に前記ロッド用開口部が形成されている請求項１から請求項４のいずれかに記載のポンプ取付台。  
【発明の詳細な説明】
【技術分野】
【０００１】
本発明は、駆動モータと、該駆動モータにより軸回転する回転軸と、該回転軸の軸回転を直交方向の往復運動に変換するロッドと、該ロッドに接続されたポンプ本体とを備えるポンプが取り付けられるポンプ取付台に関するものである。
【背景技術】
【０００２】
各種ポンプにおいて、駆動モータと、該駆動モータにより軸回転する回転軸と、該回転軸の軸回転を直交方向の往復運動に変換するロッドと、該ロッドに接続されたポンプ本体とを備えるポンプが知られている。このポンプは、駆動モータとポンプ本体の軸線が交差する特殊な配置であり、ポンプ本体の荷重や振動に対して構造的に強度を十分有するポンプ取付台が必要となる。
【０００３】
そこで、従来は、ポンプ取付台を鋳物により製造する場合が多かった。鋳物により製造されたポンプ取付台は、構造的に強度を十分有する上に、型を一旦製作すれば大量生産にも適しているという利点を有する。
【０００４】
ところが、近年、ポンプ業界では同一の種類のポンプを大量に製造するだけでなく、顧客の要求に応じて異なる種類のポンプを少量のみ製造することが注目されている。このように多品種少量の製造のもとでポンプ取付台を鋳物により製造する場合、少量のポンプを製造するのにわざわざ型を製作しなければならなかったり、またポンプの種類ごとに異なる型を製作しなければならないため、ポンプの製造コストが増大していた。
【０００５】
そこで、ポンプ取付台を鋳物ではなく板金で製造することが考えられ、実際に非特許文献１に示すように、小型のポンプ用として板金で製造されたポンプ取付台が存在していた。  
【先行技術文献】
【非特許文献】
【０００６】
【非特許文献１】株式会社ＩＢＳ、”ポンプ  ダイアフラムポンプ  ダイアフラム式エアーポンプＬＶＭ−１０／ＭＦ−１”、［online］、株式会社ＩＢＳ、［平成27年4月10日検索]、インターネット<http://www.ask-ibs.jp/goods/?id=1414387368-913165&p=1&sca=1412059229-915109>
【発明の概要】
【発明が解決しようとする課題】
【０００７】
しかしながら、ポンプ取付台を鋳物のときと同様の構造で板金で製造した場合、鋳物に比べて構造的に強度が十分ではないという問題があった。このため、板金で製造したポンプ取付台は、上述のようにポンプ本体の荷重や振動が比較的小さい小型のポンプに適用できても、ポンプ本体の荷重や振動が比較的大きい中型または大型のポンプには適用することは難しかった。
【０００８】
本発明は、上述の問題に鑑みてなされたものであり、板金による製造でありながら、ポンプ本体の荷重や振動に対して構造的に十分な強度を有するポンプ取付台を提供することを目的とする。
【課題を解決するための手段】
【０００９】
本発明は、上記目的を達成するために、駆動モータと、該駆動モータにより軸回転する回転軸と、該回転軸の軸回転を直交方向の往復運動に変換するロッドと、該ロッドに接続されたポンプ本体とを備えるポンプが取り付けられるポンプ取付台であって、駆動モータが取り付けられ、第１の板金により形成される第１の支持体と、前記第１の支持体に接合され、第２の板金により形成される第２の支持体とからなる。前記第１の支持体は、前記ポンプ本体が載置される第１天板部と、前記第１天板部を下方から支持する第１支持板部とを備え、前記第２の支持体は、前記ポンプ本体が載置される第２天板部と、前記第２天板部を下方から支持する第２支持板部とを備える。前記第１支持板部に前記回転軸が挿通される回転軸用開口部が形成されるとともに、前記第２天板部に前記ロッドが挿通されるロッド用開口部が形成される。前記第２天板部の下方の空間に、前記回転軸用開口部から突出した前記回転軸と、前記ロッド用開口部から突出した前記ロッドとが配置される。
【００１０】
これによれば、第１の板金により形成された第１の支持体と、第２の板金により形成された第２の支持体とが互いに接合して一つのポンプ取付台を構成するため、第１天板部および第２天板部に載置されたポンプ本体の荷重と振動に対して構造的に強度を高めることができる。しかも、駆動モータの回転軸とポンプ本体のロッドが前記第２天板部の下方の空間に配置されるため、安全性を保ちながら安定的に動作することができる。
【００１１】
また、前記第１の支持体は、前記第１支持板部の下端部に第１底板部が設けられるとともに、前記第２の支持体は、前記第２支持板部の下端部に第２底板部が設けられるのが好ましい。これよれば、ポンプ取付台を基台等に安定的に固定することができる。
【００１２】
前記第１の支持体は、前記第１天板部、前記第１支持板部および前記第１底板部によりコ字状に形成されるとともに、前記第２の支持体は、前記第２天板部、前記第２支持板部および前記第２底板部によりコ字状に形成されるのが好ましい。これによれば、第１の支持体と第２の支持体を板金により簡単に形成することができる。
【００１３】
この場合、第１の支持体と第２の支持体は、第１支持板部と第２支持板部が離間しながら互いに同方向に向いた状態で接合されてもよい。あるいはまた、第１支持板部と第２支持板部が互いに接しながら互いに逆方向に向いた状態で接合され、第２支持体板部に前記回転軸が挿通される第２回転軸用開口部が形成されてもよい。これによれば、構造的に強度を高めながら第１の支持体と第２の支持体を簡単に接合することができる。
【００１４】
また、前記第１天板部は、下方に延びる上側固定板部が設けられ、該上側固定板部に前記駆動モータの周面が接しているのが好ましい。これによれば、上側固定板部に駆動モータの周面が接しているため、駆動モータを安定的に固定することができる。
【００１５】
また、前記第１底板部は、上方に延びる下側固定板部が設けられ、該下側固定板部に前記駆動モータの周面が接しているのが好ましい。これによれば、下側固定板部に駆動モータの周面が接しているため、駆動モータを安定的に固定することができる。
【００１６】
また、前記第２天板部は、前記第１支持板部側の端部に前記ロッド用開口部が形成されているのが好ましい。これによれば、回転軸が回転軸用開口部から突出する長さが短くなり、動作時に回転軸に作用するモーメントが低減されるため、ポンプの回転軸およびロッドが安定的に動作することができる。
【発明の効果】
【００１７】
本発明によれば、第１の板金により形成された第１の支持体と、第２の板金により形成された第２の支持体とが互いに接合して一つのポンプ取付台を構成するため、第１天板部および第２天板部に載置されたポンプ本体の荷重と振動に対して構造的に強度を高めることができる。
【００１８】
しかも、駆動モータの回転軸とポンプ本体のロッドが前記第２天板部の下方の空間に配置されるため、安全性を保ちながら安定的に動作することができる。
【００１９】
よって、簡易な構成の板金でありながら、構造的に強度を高めることができる上に、安全性を保ちながら安定的に動作し得るため、小型から大型までの各種ポンプに幅広く適用することができる。このため安価かつスピーディにポンプ取付台を製造することができるため、顧客の要求に応じて多品種少量のポンプの供給が可能となる。
【図面の簡単な説明】
【００２０】
【図１】第１の実施形態に係るポンプ取付台の斜視図である。
【図２】第１の支持体の斜視図である。
【図３】第２の支持体の斜視図である。
【図４】第２の実施形態に係るポンプ取付台の斜視図である。
【図５】第３の実施形態に係るポンプ取付台の斜視図である。
【発明を実施するための形態】
【００２１】
＜第１の実施形態＞
次に、本発明に係るポンプ取付台の第１の実施形態について図１〜図３を参照しつつ説明する。  なお、本明細書において「前」とは図１のＸ軸負方向、「後」とは図１のＸ軸正方向、「上」とは図１のＹ軸正方向、「下」とは図１のＹ軸負方向、「幅」とは図１のＺ軸正負方向をいうものとする。
【００２２】
ポンプ取付台１は、図１に示すように、駆動モータＭと、駆動モータＭにより軸回転する回転軸Ｊと、回転軸Ｊの軸回転を直交方向の往復運動に変換するロッドＣと、ロッドＣに接続されたポンプ本体Ｐとを備えるポンプが取り付けられるポンプ取付台である。
【００２３】
前記ポンプ取付台１は、第１の板金により形成され、後方に設けられる第１の支持体１０と、第２の板金により形成され、前記第１の支持体１０に隣接して前方に設けられる第２の支持体２０を備えている。
【００２４】
前記第１の支持体１０は、図２に示すように、略コ字状の部材であり、水平方向に延びる第１天板部１１と、第１天板部１１の前端部から下方に延びる第１支持板部１２と、第１支持板部１２の下端部から後方に延びる第１底板部１３とを備え、これら第１天板部１１、第１支持板部１２および第１底板部１３の厚みが同一に形成されている。このため、第１の支持体１０は、第１天板部１１、第１支持板部１２および第１底板部１３により略コ字状に形成されるため、第１の支持体１０を板金により簡単に形成することができる。
【００２５】
前記第１天板部１１は、図１に示すように、駆動モータＭの上方に配置される矩形状の板状部材であり、前側にポンプ本体Ｐの底部の後側が載置される。
【００２６】
前記第１支持板部１２は、図１に示すように、駆動モータＭの前方に配置される矩形状の板状部材であって、駆動モータＭに近接して第１の支持体１０の第１天板部１１を下方から支持する。この第１支持板部１２は、中央部に回転軸用開口部１２ａが設けられ、後側から駆動モータＭが取り付けられる。具体的には、第１支持板部１２は、回転軸用開口部１２ａに駆動モータＭの回転軸Ｊが後側から前側に向かって挿通され、孔１２ｂに駆動モータＭのフランジ部Ｆを介してボルトが挿入されることにより、駆動モータＭが取り付けられる。これにより、駆動モータＭの回転軸Ｊは、第１支持板部１１の回転軸用開口部１２ａから前側に突出した状態で配置される。
【００２７】
前記第１底板部１３は、図１に示すように、駆動モータＭの下方に配置される矩形状の板状部材である。この第１底板部１３は、四隅に長孔１３ａが設けられており、長孔１３ａにボルトが挿入されることにより、ポンプ取付台１を図示略の外部部材に固定することができる。
【００２８】
前記第２の支持体２０は、図３に示すように、略コ字状の部材であり、水平方向に延びる第２天板部２１と、第２天板部２１の前端部に下方に延びる第２支持板部２２と、第２支持板部２２の下端部に後方に延びる第２底板部２３と、第２天板部２１の後端部に下方に延びる上側取付代部２４と、第２底板部２３の後端部に上方に延びる下側取付代部２５を備えている。この前記第２の支持体２０は、第２天板部２１、第２支持板部２２、第２底板部２３、上側取付代部２４および下側取付代部２５の厚みが同一に形成されている。このため、第２の支持体２０は、第２天板部２１、第２支持板部２２および第２底板部２３により略コ字状に形成されるため、第２の支持体２０を板金により簡単に形成することができる。
【００２９】
前記第２天板部２１は、図１に示すように、回転軸Ｊの上方に配置される矩形状の板状部材であり、後側にポンプ本体Ｐの底部の前側が載置される。本実施形態では、第２天板部２１と第１の支持体１０の第１天板部１１は、同一平面上に連なっているため、ポンプ本体Ｐの荷重が第２天板部２１と第１天板部１１に分散され、ポンプ本体Ｐを安定的に載置することができる。
【００３０】
この第２天板部２１は、図３に示すように、第１支持板部１２側の端部にロッドＣが挿通されるロッド用開口部２１ａが形成されている。この第２天板部２１は、ポンプ本体Ｐが載置された状態において、ロッド用開口部２１ａからロッドＣが下方に向かって突出して配置される。また、第２天板部２１は、ロッド用開口部２１ａが第１支持板部１２側の端部に形成されているため、回転軸Ｊが回転軸用開口部１２ａから突出する長さが短くなり、動作時に回転軸Ｊに作用するモーメントが低減されるため、ポンプの回転軸ＪおよびロッドＣが安定的に動作することができる。
【００３１】
前記第２支持板部２２は、図１に示すように、回転軸Ｊの前方に配置される矩形状の板状部材であって、駆動モータＭから離間して第２天板部２１を下方から支持している。
【００３２】
前記第２底板部２３は、図１に示すように、回転軸Ｊの下方に配置される矩形状の板状部材である。この第２底板部２３と第１の支持体１０の第１底板部１３は、同一平面上に連なっているため、第１底板部１３と第２底板部２３を外部部材に安定的に固定することができる。なお、この第２底板部２３は、幅方向の両側に長孔２３ａが設けられており、長孔２３ａにボルトが挿入されることにより、ポンプ取付台１を図略の外部部材に固定することができる。
【００３３】
前記上側取付代部２４は、図１に示すように、第２の支持体２０を第１の支持体１０に接合するための第１の取付代であり、幅方向の両側に孔２４ａを有している。上側取付代部２４は、孔２４ａに第１支持板部１２の孔１２ｂと駆動モータＭのフランジ部Ｆを介してボルトが挿入されることにより、第１の支持体１０の第１支持板部１２に接合される。なお、本実施形態では、上側取付代部２４は、第２天板部２１の第１支持板部１２側の端部にロッド用開口部２１ａが設けられているため、ロッド用開口部２１ａの幅方向の両側に分離して設けられている。
【００３４】
前記下側取付代部２５は、図１に示すように、第２の支持体２０を第１の支持体１０に接合するための第２の取付代であり、幅方向の両側に孔２５ａを有している。下側取付代部２５は、孔２５ａに第１支持板部１２の孔１２ｂと駆動モータＭのフランジ部Ｆを介してボルトが挿入されることにより、第１の支持体１０の第１支持板部１２に接合される。
【００３５】
而して、第１の板金により形成された第１の支持体１０と、第２の板金により形成された第２の支持体２０とが互いに接合して一つのポンプ取付台１を構成するため、第１天板部１１および第２天板部２１に載置されたポンプ本体Ｐの荷重と振動に対して構造的に強度を高めることができる。
【００３６】
また、第１の支持体１０と第２の支持体２０は、図１に示すように、第１支持板部１２と第２支持板部１２が離間しながら互いに同方向に向いた状態で接合されているため、構造的に強度を高めながら第１の支持体と第２の支持体を簡単に接合することができる。
【００３７】
また、第１の支持体１０は第１の板金により形成されるとともに、第２の支持体２０は第２の板金により形成され、第１の支持体１０と第２の支持体２０が互いに接合されているため、ポンプ取付台１を簡単かつ確実に製造することができる。
【００３８】
また、前記第１の支持体１０は、第１支持板部１２の下端部に第１底板部１３が設けられるとともに、前記第２の支持体２０は、第２支持板部２２の下端部に第２底板部２３が設けられるため、ポンプ取付台１を基台等に安定的に固定することができる。
【００３９】
さらに、第１の支持体１０と第２の支持体２０を接合することにより、第２天板部２１の下方において第２の支持体２０の第２天板部２１と、第２支持板部２２と、第２底板部２３と、第１の支持体１０の第１支持板部１１により囲まれる空間Ｓが形成される。これによれば、駆動モータＭの回転軸Ｊとポンプ本体ＰのロッドＣが第２天板部２１の下方の空間Ｓに配置されるため、安全性を保ちながら安定的に動作することができる。
【００４０】
よって、簡易な構成の板金でありながら、構造的に強度を高めることができる上に、安全性を保ちながら安定して運動し得るため、小型から大型までの各種ポンプに幅広く適用することができる。このため安価かつスピーディにポンプ取付台１を製造することができるため、多品種少量のポンプの供給が容易となる。
【００４１】
なお、ポンプ取付台１は、第１の支持体１０と第２の支持体２０が固定された後、第１の支持体１０の第１支持板部１２と第２の支持体２０の下側取付代部２５の間に、三角状の三角リブが楔として打ち込まれることにより、第１の支持体１０と第２の支持体２０の接合が強化されてもよい。
【００４２】
次に本発明に係るポンプ取付台に固定されたポンプの動作について説明する。
【００４３】
まず、駆動モータＭが駆動すると、回転軸Ｊが第２天板部２１、第１支持板部１２および第２支持板部２２に囲まれる空間Ｓの内部で軸回転する。
【００４４】
そして、回転軸Ｊに接続されたロッドＣが、回転軸Ｊの軸回転を上下方向の往復運動に変換し、空間Ｓの内部で上下運動する。
【００４５】
そして、ロッドＣに接続されたポンプ本体Ｐ内部のダイアフラムが、ポンプ本体Ｐ内で上下運動し、ポンプ本体Ｐ内において流体を吸引・吐出することができる。
【００４６】
このように、駆動モータＭの回転軸ＪとロッドＣが、第２天板部２１、第１支持板部１２および第２支持板部２２に囲まれる空間Ｓに配置されるため、安全性を保ちながら安定して動作することができる。
【００４７】
＜第２の実施形態＞
次に、本発明に係るポンプ取付台１の第２の実施形態について図４を参照しつつ説明する。なお、以下では上記の実施形態と異なる構成についてのみ説明することとし、同一の構成については説明を省略して同一の符号を付すこととする。
【００４８】
本実施形態において、前記第１天板部１１は、図４に示すように、後端部に下方に延びる上側固定板部１１１が設けられ、該上側固定板部１１１に駆動モータＭの周面が接している。このため、上側固定板部１１１に駆動モータＭの周面が接しているため、上側固定板部１１１により駆動モータＭを安定的に固定することができる。
【００４９】
また、前記第１底板部１３は、図４に示すように、上方に延びる下側固定板部１３１が設けられ、該下側固定板部１３１に駆動モータＭの周面が接している。このため、下側固定板部１３１に駆動モータＭの周面が接しているため、下側固定板部１３１により駆動モータＭを安定的に固定することができる。
【００５０】
＜第３の実施形態＞
次に、本発明に係るポンプ取付台１の第３の実施形態について図５を参照しつつ説明する。
【００５１】
本実施形態において、ポンプ取付台１は、前記第１の支持体１０と、前記第２の支持体２０と、前記第１の支持体１０および前記第２の支持体２０の下方に接合された第３の支持体３０を備える。
【００５２】
この第１の支持体１０と第２の支持体２０は、第１支持板部１２と第２支持板部２２が互いに接しながら互いに逆方向に向いた状態で接合され、第２支持体板部２２に回転軸Ｊが挿通される第２回転軸用開口部２２ａが形成されている。これにより、駆動モータＭの回転軸Ｊは、第１支持板部１１の回転軸用開口部１２ａと、第２支持板部２２の第２回転軸用開口部２２ａから前側に突出した状態で配置される。
【００５３】
前記第３の支持体３０は、垂直方向に延びる第３支持板部３１と、第３支持板部３１の下端部に後方に延びる第３底板部３２を備え、第３支持板部３１と第３底板部３２が前記第１の支持体１０および前記第２の支持体２０よりやや厚い同一の厚みに形成されている。
【００５４】
前記第３支持板部３１は、第２の支持体２０の第２天板部２１の前端部を下方から支持している。このため、第１天板部１１および第２天板部２１が、第１支持板部１２、第２支持板部２２および第３支持板部３１により支持されるため、第１天板部１１および第２天板部２１に載置されたポンプ本体Ｐの荷重と振動に対して構造的に強度をより一層高めることができる。
【００５５】
前記第３底板部３２は、第２の支持体２０の第２底板部２３と、第１の支持体１０の第１底板部１３に接合され、これらを下方から支持している。このため、第１の支持体１０および第２の支持体２０の強度を構造的により一層高めることができる。
【００５６】
なお、上記実施形態では、前記第１の支持体１０は、第１支持板部１２が第１天板部１１の前端部から下方に延びるものとしたが、第１支持板部１２が第１天板部１１の異なる位置から延びてもよい。  
【００５７】
また、前記第１の支持体１０は、第１底板部１３が第１支持板部１２の下端部から後方に延びるものとしたが、第１底板部１３が第１支持板部１２の異なる位置から延びてもよいし、あるいは第１底板部１３を備えなくてもよい。
【００５８】
また、前記第２の支持体２０は、第２底板部２３が第２支持板部２２の下端部から後方に延びるものとしたが、第２底板部２３が第２支持板部２２の異なる位置から延びてもよいし、あるいは第２底板部２３を備えなくてもよい。
【００５９】
また、前記第２の支持体２０は、第２支持板部が第２天板部２１の前端部から下方に延びるものとしたが、第２支持板部２２が第２天板部２１の異なる位置から延びてもよい。
【００６０】
また、前記第２の支持体２０は、上側取付代部２４と下側取付代部２５を備えるものとしたが、上側取付代部２４の下側取付代部２５の一方又は両方を備えなくてもよい。
【００６１】
また、前記第１の支持体１０と前記第２の支持体２０がボルトにより接合されるものとしたが、溶接などその他の方法により接合されてもよい。
【００６２】
以上、図面を参照して本発明の実施形態を説明したが、本発明は、図示した実施形態のものに限定されない。図示された実施形態に対して、本発明と同一の範囲内において、あるいは均等の範囲内において、種々の修正や変形を加えることが可能である。
【符号の説明】
【００６３】
１…ポンプ取付台
１０…第１の支持体
１１…第１天板部
１１１…上側固定板部
１２…第１支持板部
１２ａ…回転軸用開口部
１２ｂ…孔
１３…第１底板部
１３ａ…長孔
１３１…下側固定板部
２０…第２の支持体
２１…第２天板部
２１ａ…ロッド用開口部
２２…第２支持板部
２３…第２底板部
２３ａ…長孔
２４…上側取付代部
２４ａ…孔
２５…下側取付代部
２５ａ…孔
Ｐ…ポンプ本体
Ｍ…駆動モータ
Ｊ…駆動モータの回転軸
Ｆ…駆動モータのフランジ部
Ｃ…ロッド
Ｓ…空間
【図１】
0006526485.tif 000002
【図２】
0006526485.tif 000003
【図３】
0006526485.tif 000004
【図４】
0006526485.tif 000005
【図５】
0006526485.tif 000006